(57)【特許請求の範囲】
【請求項１】
キャビネット本体内に設けられたレールに沿って前方側へスライド移動できる奥側の棚には、上下方向に回動可能な支持アームの後端側の軸が連結され、
該支持アームの前端側の軸は前側の棚に連結されてなり、
該前側の棚は、前記キャビネット本体から手前に引き出した状態で前記支持アームを介し昇降動できるとともに、前記キャビネット本体内への収納状態では前記奥側の棚と略水平状をなして該奥側の棚の前方に配置されるように構成され、
前記前側の棚がキャビネット本体内へ収納された状態において、前記支持アームの前端側の軸と後端側の軸が横一直線上に並ぶように構成した
ことを特徴とする棚構造。
【請求項２】
前記支持アームの後端側とキャビネット本体の背面側との間にバネを取り付けたことを特徴とする請求項１に記載の棚構造。
【請求項３】
少なくとも前記前側の棚には多数の孔が設けられ、該孔に脱着可能にピンを取り付けたことを特徴とする請求項１または請求項２に記載の棚構造。
【発明の詳細な説明】
【技術分野】
【０００１】
本発明は、キャビネット本体内に引き出し可能に設けられる棚の構造に関するものである。
【背景技術】
【０００２】
従来、この種の棚構造として、例えば特許文献１に開示されているようなものが存在し、特許文献１のものは、収納ケースの前面側に収納され、一対の支持リンクを介して前面から前下方へと引き出し自在に取り付けられた昇降棚と、収納ケースの後面側に収納され、前面側へ移動自在に取り付けられた箱体と、昇降棚の前下方への引き出しに伴って箱体を前面側へと移動させ、昇降棚の収納ケースへの収納に伴って箱体を後面側へと移動させる係合手段とを備えたものとなっている。
【特許文献１】特開２００５−３１９１３８号公報
【発明の開示】
【発明が解決しようとする課題】
【０００３】
上記特許文献１に開示されている構造では、前側の昇降棚を前面に引き出した時だけ支持リンクと係合部材が係合して、後方側の箱体を前側へ引き出せ、箱体を後面側へ移動させた時は支持リンクと係合部材は分離している構造となっているため、支持リンクと係合部材間に物が挟まったりするとスムーズに動かなくなる事態が生ずるという問題点があった。
【課題を解決するための手段】
【０００４】
本発明は、物が挟まることがなく、引き出し動作の信頼性の高い棚構造を提供することを目的の１つとし、この目的の少なくとも一部を達成するために以下の手段を採った。
本発明の棚構造は、キャビネット本体内に設けられたレールに沿って前方側へスライド移動できる奥側の棚には、上下方向に回動可能な支持アームの後端側の軸が連結され、
該支持アームの前端側の軸は前側の棚に連結されてなり、
該前側の棚は、前記キャビネット本体から手前に引き出した状態で前記支持アームを介し昇降動できるとともに、前記キャビネット本体内への収納状態では前記奥側の棚と略水平状をなして該奥側の棚の前方に配置されるように構成され、
前記前側の棚がキャビネット本体内へ収納された状態において、前記支持アームの前端側の軸と後端側の軸が横一直線上に並ぶように構成した
ことを要旨とする。
【発明の効果】
【０００５】
本発明の棚構造では、前側の棚をキャビネット本体の前面側へ引き出した状態で支持アームを介して昇降動させることができ、同時に奥側の棚が前側へ移動して、奥側の棚に載せてある物を取り出しやすくなり、また、前側の棚は下方側へ移動させて物が取り出しやすいものとなる。
また、前側の棚と奥側の棚は支持アームで連結されており、物が詰まったりすることがなく、確実に前方側へ引き出したり、昇降動させたりすることができ、動作の信頼性が向上したものとなる。
また、前側の棚がキャビネット本体内へ収納された状態において、支持アームの前端側の軸と後端側の軸が横一直線上に並ぶため、棚の高さを抑えた設計ができ、多段使いが容易となる。
【０００６】
また、本発明の棚構造において、前記支持アームの後端側とキャビネット本体の背面側との間にバネを取り付けて構成することもできる。
こうすれば、棚の出し入れの際に一定の力を加えるとバネの力で自動で動き、力を入れずに棚を移動させることができるものとなる。
【０００７】
また、本発明の棚構造において、少なくとも前記前側の棚には多数の孔が設けられ、該孔に脱着可能にピンを取り付けた構成とすることもできる。
こうすれば、ピンにより収納物の揺れ動きを防ぐことができ、収納物のサイズに応じてピンの位置を変更することで収納物の揺れを最小限にして、棚の前後移動や昇降動の際に収納物などが倒れることなく、安全に取り出しできるものとなる。
【発明を実施するための最良の形態】
【０００８】
次に、本発明を実施するための最良の形態を実施例を用いて説明する。
図１は、本発明の棚構造の概念図を示すものであり、キャビネット本体１内に収納される収納位置から、キャビネット本体１の前方側へ引き出される引き出し位置に亘り、スライド移動可能に奥側の棚２と前側の棚３が配置されており、奥側の棚２と前側の棚３は、キャビネット本体１内に略水平に設けられたレール４に沿って前側へ移動することができ、前側の棚３をキャビネット本体１から引き出した状態で、更に前側の棚３を下方側へ昇降させることができるように構成したものである。
【０００９】
図２では、例えばキッチン，洗面室，トイレ等の壁面の１８００ｍｍ位の高さ位置に設置されるキャビネット本体１を例示して、その棚構造を説明する。
図２は、奥側の棚２と前側の棚３を前後方向に略水平状にしてキャビネット本体１内に収納させた状態図であり、図３は、前側へ引き出し、かつ前側の棚３を下方側へ降ろした状態図である。このような収納状態と引き出し状態の支持アーム５，６の配置を図４および図５に示す。さらに図６では、要部を拡大して斜視図で示す。
【００１０】
キャビネット本体１は、左右の側面１ａ，１ｂの下端に水平に底面１ｃが形成され、上面には天面１ｄが形成され、背側には背面１ｅが立設されて、前方側が開放された箱状に形成されている。
このキャビネット本体１の左右の側面１ａ，１ｂの内側には、略水平に前方側へ延びる固定レール４，４が固設されており、この固定レール４内には、固定レール４に沿って前後方向にスライド移動できるスライドレール４ａが配置されている。
この左右のスライドレール４ａの内側には、奥側の棚２の左右端縁が固定されており、奥側の棚２はスライドレール４ａとともに前後方向に移動できるように構成されている。この奥側の棚２の前端側に、左右それぞれ一対の前支持アーム５と後支持アーム６が上下方向に回動可能に連結されており、前支持アーム５および後支持アーム６の前端側が前側の棚３に連結されている。
【００１１】
前支持アーム５は、収納状態において水平となる水平片５ａの前後端にそれぞれ下傾状に下傾片５ｂ，５ｂが形成されており、下傾片５ｂ，５ｂの先端に軸７ａ，７ｂが設けられ、軸７ａが奥側の棚の前端側縁に切り欠き形成した切欠部２ｂに連結されており、軸７ｂは前側の棚３の側面に連結されている。
また、後支持アーム６は、収納状態において略水平状となる水平片６ａの前後端にそれぞれ上傾状に上傾片６ｂ，６ｂが一体形成されており、この前後の上傾片６ｂ，６ｂの先端に軸８ａ，８ｂが設けられている。また、後方側の上傾片６ｂから収納状態において垂直に立ち上がる立上片６ｃが一体形成されている。軸８ａは奥側の棚２の側端部に切り欠き状に形成した切欠部２ａに連結されており、軸８ｂは前側の棚３の後端側側面に連結されている。
【００１２】
従って、軸７ａ，８ａ，７ｂ，８ｂにより一対の前支持アーム５と後支持アーム６は平行状をなして上下方向に回動することができ、この回動により図５に示すように、引き出し状態で前側の棚３を奥側の棚２に対し昇降動させることができるものである。
一対の前支持アーム５と後支持アーム６が平行状をなして回動するものであるため、前側の棚３を水平に維持したまま良好に昇降動させることができる。
【００１３】
なお、本例では、奥側の棚２と前側の棚３は、ほぼ同一の面積のもので構成しているが、面積比率は１：１でなくても良い。
また、奥側の棚２および前側の棚３の材質は、如何なるものであっても良いが、透明素材でこれらを形成しておけば、収納物を外から一目瞭然に見ることができるものとなる。
【００１４】
なお、本例の前支持アーム５と後支持アーム６は、収納状態では図４に示すように、それぞれの軸７ａ，８ａ，７ｂ，８ｂが水平な一直線上に並ぶように構成してあり、棚２，３の高さを抑えて設計することができ、キャビネット本体１内にこのような奥側の棚２と前側の棚３を多段状に配置できるように構成されている。
なお、キャビネット本体１の側面１ａの固定レール４の前端側下方には、水平状に固定受けレール９が固設されており、固定受けレール９の前端側および後端側にはそれぞれ受軸１０ａ，１０ｂが設けられ、受軸１０ａ，１０ｂの外周にはローラー１１ａ，１１ｂが配置されている。
【００１５】
図５のように、奥側の棚２を前方側へ引き出し、更に前側の棚３を下方へ移動させた状態において、後支持アーム６の水平片６ａと上傾片６ｂが交差する部分が、前端側の受軸１０ａのローラー１１ａに当接し、これにより前側の棚３の下降が停止されるように構成されている。
一方、前側の棚３および奥側の棚２を収納させた図４の状態では、後支持アーム６の水平片６ａが受軸１０ｂのローラー１１ｂ上に当接状態となり、これにより後支持アーム６の水平片６ａが水平に維持されるように構成されている。
【００１６】
なお、後支持アーム６の立上片６ｃの上端には、上下用バネ１２の前端が連結されており、上下用バネ１２の後端は金具１２ａを介して奥側の棚２の後面に連結されている。
また、更に奥側の棚２の底側には、前後用バネ１３の前端が連結されており、前後用バネ１３の後端は金具１３ａを介してキャビネット本体１の背面１ｅに連結されている。
上下用バネ１２は後支持アーム６の上下回動をアシストするものであり、一定の力を加えると、この上下用バネ１２を介して後支持アーム６を自動で上下回動させることができる。また、前後用バネ１３は奥側の棚２および前側の棚３を収納させる際に、一定の力を奥側へ加えると、自動でこの前後用バネ１３により奥側の棚２が奥側へ収納されてゆくこととなり、力を入れずに棚２，３の収納が可能となる。
なお、前後用バネ１３の前端をスライドレール４ａに連結した構成としても良く、さらには、前後用バネ１３の前端を後支持アーム６の立上片６ｃの上端に連結した構成としても良い。
【００１７】
なお、図７および図８では、前側の棚３に、多数の上下方向の孔３ａ，３ａ，３ａを形成させた場合を例示しており、多数の孔３ａの何れかにピン１４を上方から着脱させることができ、ピン１４を任意の孔３ａ内に着脱可能に嵌め込んで、前側の棚３上にピン１４を立設させておけば、ピン１４，１４により前側の棚３上に置かれた収納物の揺れ動きを防ぐことができるものとなり、前側の棚３を昇降動させる際等に収納物がピン１４により動かなくなり、収納物の倒れ等による破損を防げるものとなる。
【００１８】
なお、このような棚構造は、図９に示すようなキャビネット本体１の前面に開き戸１ａを有する開き戸タイプのキャビネット本体１内に設けることもでき、また、図１０に示すように、引き戸１ｇを有するキャビネット本体１内に設けることもでき、また、図１１に示すような、前面側が開放されたシステムトールタイプのキャビネット本体１内に設けることもできる。なお、図中において、１５は固定棚であり、１６は引出しである。
【００１９】
次に、図１２〜図１５には変更例を示す。
この変更例では、奥側の棚２および前側の棚３にそれぞれ左右側に側板が設けられたものであり、奥側の棚２は、左右に立設された側板２ｃ，２ｃの後面に背板２ｄが一体状に立設されている。また、前側の棚３は、左右の側板３ｃ，３ｃが立設され、前面に前板３ｄが立設されて構成されている。
奥側の棚２の左右の側板２ｃ，２ｃの内側に金具１９，１９を取り付け、また、前側の棚３の左右の側板３ｃ，３ｃの内側にそれぞれ金具２０，２０を取り付けて、この金具１９，２０で支持アーム１７，１８の軸側を覆ったものである。
金具１９および２０は、それぞれビス２１で側板２ｃ，３ｃに固定される固定部１９ａ，２０ａと、支持アーム１７，１８の軸側を覆蓋する覆蓋部１９ｂ，２０ｂで構成されている。
【００２０】
本例では、アームは上支持アーム１７と下支持アーム１８からなる一対の平行アームで構成されており、上支持アーム１７は収納状態では、図１４に示すように、奥側の棚２から前側の棚３側に向かって上傾する上傾片１７ａと、上傾片１７ａの奥側の棚２側で下傾する下傾片１７ｂで、くの字状に形成されており、下傾片１７ｂの下端に軸７ａが設けられている。また、上傾片１７ａの上端側に軸７ｂが設けられている。
同様に、下支持アーム１８は、奥側の棚２側から前側の棚３側に向かって上傾する上傾片１８ａと、奥側の棚２側で下傾する下傾片１８ｂが、くの字状に一体形成されており、下傾片１８ｂの下端に軸８ａが設けられ、上傾片１８ａの上端に軸８ｂが設けられている。
それぞれの軸７ａ，７ｂ，８ａ，８ｂは、金具１９および２０の覆蓋片１９ｂ，２０ｂに回動可能に取り付けられている。
【００２１】
この平行な一対の上支持アーム１７と下支持アーム１８を介して、奥側の棚２に対し前側の棚３は昇降動可能なものとなっており、前側の棚３を下方側へ下降させた状態は図１３および図１５に示す。
本例においても、キャビネット本体１内に設けられたレールに沿って奥側の棚２および前側の棚３を前方側へ引き出すことができ、奥側の棚２が手前側に移動してくることで、奥側の棚２上に置かれている収納物の取り出しが容易なものとなる。
また、同時に、前側の棚３を引き出した状態で下降させて、低い位置に配置することができ、前側の棚３に収納されている収納物を良好に取り出すことができるものとなる。
【００２２】
しかも、本例では、上支持アーム１７，下支持アーム１８は側板２ｃ，３ｃの内側に固設された金具１９，２０で覆蓋されており、アーム１７，１８の露出部分が少なくなり、指が挟まれたり、衣服が絡みつくなどの心配がなく、安全に棚２，３を引き出したり収納させたりすることができるものである。
しかも、側板２ｃ，３ｃや背板２ｄ，前板３ｄが設けられているため、収納物の落下等が良好に防がれるものとなる。
【００２３】
次に、図１６〜図２１には更なる変更例を示す。
この図１６〜図２１に示すものは、前側の棚３には左右に側板３ｃ，３ｃが立設されており、前板は存在せず、奥側に仕切板３ｅが立設されたものである。また、奥側の棚２内には、奥側に立上板２２ａが立設されたスライド棚２２が、前方側へスライド移動可能に設けられたものとなっている。
奥側の棚２は、キャビネット本体１に左右側にそれぞれ上下一対で固設された上レール２４ａと下レール２４ｂ間に配置されて、上レール２４ａと下レール２４ｂに沿って前方側へ引き出しできるものである。
また、奥側の棚２と前側の棚３は、左右側の側板の内側に固設された金具１９，２０内に配置された平行な上支持アーム１７と下支持アーム１８で連結されており、上支持アーム１７，下支持アーム１８を介して前側の棚３は上下方向に昇降できるように構成されている。
【００２４】
図１６は、収納状態を示す。図１７は、前側の棚３および奥側の棚２を前方側へ引き出した状態を示す。更に図１８は、前側の棚３を下降させた状態を示す。図１９は、更に奥側の棚２内に設けられているスライド棚２２を前側へ引き出す状態を示す。
スライド棚２２は、前側の棚３の側板３ｃの内側に設けられている受け板３ｆ上に、図２０に示すように載せることができ、スライド棚２２を前方側へ引き出して、スライド棚２２上に載せられている収納物を良好に取り出しできる。なお、図２１は、スライド棚２２を奥側の棚２内に収納させた状態図である。
【図面の簡単な説明】
【００２５】
【図１】本発明の棚構造の概念図である。
【図２】奥側の棚および前側の棚がキャビネット本体内に収納された状態図である。
【図３】奥側の棚および前側の棚を引き出し、更に前側の棚を下降させた状態図である。
【図４】収納状態における支持アームの配置状態図である。
【図５】引き出した状態における支持アームの状態図である。
【図６】支持アームの部分の拡大斜視構成図である。
【図７】前側の棚に多数の孔を設けてピンを着脱できる構成の説明図である。
【図８】ピンにより収納物の揺れ動きを防いでいる説明図である。
【図９】開き戸タイプのキャビネット本体内に設けられた棚構造の斜視構成図である。
【図１０】引き戸タイプのキャビネット本体内に設けられた棚構造の斜視図である。
【図１１】システムトールタイプのキャビネット本体内に設けられた棚構造の斜視図である。
【図１２】変更例を示す側板を有する奥側の棚と前側の棚の斜視構成図である。
【図１３】前側の棚を下降させた状態の斜視図である。
【図１４】収納状態における上支持アームと下支持アームの配置構成図である。
【図１５】前側の棚を下降させた状態の上支持アームと下支持アームの状態図である。
【図１６】更に異なる変更例を示すキャビネット本体の斜視構成図である。
【図１７】奥側の棚および前側の棚を前方へ引き出した状態の斜視構成図である。
【図１８】前側の棚を下降させる状態の斜視図である。
【図１９】下降させた前側の棚の上面に、奥側の棚からスライド棚を前方へ引き出す状態図である。
【図２０】スライド棚を完全に引き出した状態の斜視図である。
【図２１】スライド棚を奥側の棚に収納させた状態の斜視図である。
【符号の説明】
【００２６】
１  キャビネット本体
１ｅ  背面
２  奥側の棚
２ａ，２ｂ  切欠部
２ｃ，３ｃ  側板
３  前側の棚
３ａ  孔
３ｅ  仕切板
３ｆ  受け板
４  固定レール
４ａ  スライドレール
５  前支持アーム
５ａ  水平片
５ｂ  下傾片
６  後支持アーム
６ａ  水平片
６ｂ  上傾片
６ｃ  立上片
７ａ，７ｂ，８ａ，８ｂ  軸
９  固定受けレール
１０ａ，１０ｂ  受軸
１１ａ，１１ｂ  ローラー
１２  上下用バネ
１３  前後用バネ
１４  ピン
１７  上支持アーム
１７ａ  上傾片
１７ｂ  下傾片
１８  下支持アーム
１８ａ  上傾片
１８ｂ  下傾片
１９，２０  金具
１９ｂ，２０ｂ  覆蓋部
２１  ビス
２２  スライド棚
２２ａ  立上板
【図１】
0005224844.tif 000002
【図２】
0005224844.tif 000003
【図３】
0005224844.tif 000004
【図４】
0005224844.tif 000005
【図５】
0005224844.tif 000006
【図６】
0005224844.tif 000007
【図７】
0005224844.tif 000008
【図８】
0005224844.tif 000009
【図９】
0005224844.tif 000010
【図１０】
0005224844.tif 000011
【図１１】
0005224844.tif 000012
【図１２】
0005224844.tif 000013
【図１３】
0005224844.tif 000014
【図１４】
0005224844.tif 000015
【図１５】
0005224844.tif 000016
【図１６】
0005224844.tif 000017
【図１７】
0005224844.tif 000018
【図１８】
0005224844.tif 000019
【図１９】
0005224844.tif 000020
【図２０】
0005224844.tif 000021
【図２１】
0005224844.tif 000022